(57)【要約】【課題】ＦＭオンエア情報について新規なユーザ向け処理を行い、ユーザの利便を高める。【解決手段】オーディオ装置１１は、所定期間（例：１週間）にわたりＦＭラジオ放送局１２のＦＭ放送を連続記録した元録音ファイルを生成する。一方、該所定期間に対応するＦＭオンエア情報をＡＳＰ１３から入手する。該ＦＭオンエア情報は統計情報として使用する。例えば、ユーザ１０がパワープレイの再生ファイルの生成を指示した場合、オーディオ装置１１は、ＦＭオンエア情報に十分に多数、含まれている楽曲を探索し、それをパワープレイと認定する。ＦＭオンエア情報には、各楽曲についての放送開始時刻情報が含まれているので、ＦＭオンエア情報に基づきパワープレイの放送時間範囲を特定する。そして、元録音ファイルから放送時間範囲の該当部分を切り出して、パワープレイの再生ファイルを作成する。【選択図】図１
2008244861.tif 000002
【特許請求の範囲】
【請求項１】
所定期間の放送内容に関するメタデータを入手するメタデータ入手手段、
該メタデータを統計情報として使用し該統計情報から該当コンテンツを探索する探索手段、及び
前記該当コンテンツに係るユーザ向け処理を実行する処理手段、
を備えることを特徴とするコンテンツ処理装置。
【請求項２】
前記ユーザ向け処理とは、前記該当コンテンツをユーザに提示すること、前記該当コンテンツの再生ファイルが記憶装置内に存在する場合には、該再生ファイルを再生すること、又は該当コンテンツの放送時間範囲を前記メタデータに基づき特定し前記メタデータの対応期間の放送コンテンツ記録ファイルから該放送時間範囲の対応部分を抽出した再生ファイルを生成することであることを特徴とする請求項１記載のコンテンツ処理装置。
【請求項３】
前記該当コンテンツとは、パワープレイ、メタデータにおける出現個数に基づく楽曲ランク付けに係る楽曲、又はメタデータにおける出現個数に基づくアーティストランク付けに係るアーティストの楽曲であることを特徴とする請求項１又は２記載のコンテンツ処理装置。
【請求項４】
所定期間の放送内容に関するメタデータを入手するステップ、
該メタデータを統計情報として使用し該統計情報から該当コンテンツを探索するステップ、及び
前記該当コンテンツに係るユーザ向け処理を実行するステップ、
を備えることを特徴とするコンテンツ処理方法。
【請求項５】
請求項１〜３のいずれかに記載のコンテンツ処理装置の各手段としてコンピュータを機能させるプログラム。
【発明の詳細な説明】
【技術分野】
【０００１】
本発明は、放送内容に関するメタデータに基づき有意義なコンテンツ処理を行う装置、方法及びプログラムに関するものである。
【背景技術】
【０００２】
特許文献１は、ナウオンエア情報（ＦＭオンエア情報）に基づく記録処理を行う記録装置を開示する。該記録装置は、所望の楽曲についての放送時間を特定する情報としてナウオンエア情報を利用する（特許文献１の図２５のフローチャートのＳＰ１４１，ＳＰ１４２，ＳＶ３，ＳＰ１０５，ＳＰ１０９）。
【０００３】
特許文献１は、ナウオンエア情報の具体的内容として、放送中番組テーブル、放送済楽曲テーブル及び放送済番組テーブルを開示する（特許文献１の段落０３８３及び図２０）。放送中番組テーブルは、今現在放送中のラジオ番組及び楽曲に関するナウオンエア情報となっている（特許文献１の段落０３８５）。放送済楽曲テーブルは、ラジオ番組内で放送された楽曲に関するオンエアリスト情報となっている（特許文献１の段落０３８７）。放送済番組テーブルは、放送されたラジオ番組に関するオンエアリスト情報となっている（特許文献１の段落０３８９）。
【０００４】
該記録装置は、過去所定時間分（例：３分）の録音内容を常時、録音保持する仮録音を行いつつ、所定のポーリング間隔（例：３０秒）で、ナウオンエア情報をラジオ放送情報配信サーバより入手するようになっている（特許文献１の段落０４０６，０４１０）。そして、最新版のナウオンエア情報に指定楽曲等のキーワードが含まれていることが判明しだい、仮録音を利用して、該キーワードについて所定時間前（例：３０秒）に遡った時点からの本録音を行うようにしている（特許文献１の段落０４１２〜０４１５）。また、最新版のナウオンエア情報に、今まで含まれていたキーワードが含まれなくなっていることが判明しだい、キーワードについての本録音を終了する（特許文献１の段落０４２０）。
【特許文献１】特開２００５−３３２４７５号公報
【発明の開示】
【発明が解決しようとする課題】
【０００５】
特許文献１は、ＦＭオンエア情報を単に放送コンテンツの録音時間の設定に利用しているだけである。
【０００６】
本発明の目的は、放送内容に関するメタデータに基づき新規のユーザ向け処理を開発し、ユーザの利便性を高めるコンテンツ処理装置、方法及びプログラムを提供することである。
【課題を解決するための手段】
【０００７】
本発明によれば、放送内容に関するメタデータを、ユーザ所望のコンテンツ（例：パワープレイ）を探索するための統計情報として利用する。ユーザの所望に対して、該メタデータを統計分析することにより、該所望に対する該当コンテンツを探し出す。該当コンテンツについては、例えば、それをユーザに提示したり、該メタデータに対応する期間の放送記録ファイルから、該当コンテンツの放送時間範囲の対応部分を切り出して、該当コンテンツについての再生ファイルを作成したりする。
【０００８】
本発明のコンテンツ処理装置は次の手段を備えている。
所定期間の放送内容に関するメタデータを入手するメタデータ入手手段、
該メタデータを統計情報として使用し該統計情報から該当コンテンツを探索する探索手段、及び
前記該当コンテンツに係るユーザ向け処理を実行する処理手段。
【０００９】
本発明のコンテンツ処理方法は次のステップを備えている。
所定期間の放送内容に関するメタデータを入手するステップ、
該メタデータを統計情報として使用し該統計情報から該当コンテンツを探索するステップ、及び
前記該当コンテンツに係るユーザ向け処理を実行するステップ。
【００１０】
本発明のプログラムは、上述のコンテンツ処理装置の各手段としてコンピュータを機能させる。
【発明の効果】
【００１１】
本発明によれば、放送内容に関するメタデータを統計分析して、所望のコンテンツを探索し、該当コンテンツについて所定のユーザ向け処理を行って、ユーザの所望コンテンツに対処することができる。
【発明を実施するための最良の形態】
【００１２】
図１はパワープレイ等のユーザ所望コンテンツの再生ファイルを生成する説明図である。なお、「パワープレイ」とは、放送局が推薦する楽曲で、ある一定期間に多く放送されることを意味する。「ヘビーローテーション」と表現されることもある。
【００１３】
オーディオ装置１１は、そのユーザ１０の家庭におけるリビング等に配備され、チューナと共に、ハードディスク装置等の大容量記録媒体を内蔵している。オーディオ装置１１は、また、ＦＭラジオ放送局１２から電波によりＦＭラジオ放送を受信する。ＦＭラジオ放送には、トーク、ニュース及びライブ等の種々の番組が含まれており、それらは、音声、音及び楽曲等となっている。
【００１４】
オーディオ装置１１は、ＡＳＰ（Application Service Provider）１３からインターネットを介してＦＭラジオ放送局１２の放送内容に関するメタデータ（この場合、ＦＭラジオ放送内容に関するメタデータであるので、該メタデータは具体的にはＦＭオンエア情報である。）を入手する。オーディオ装置１１は、インターネットへの接続において、ＤＬＮＡ（Digital Living Network Alliance）のホームネットワークを利用して、該ネットワークのルータを介してＡＳＰ１３へアクセスして、ＦＭオンエア情報を入手することができる。
【００１５】
ＡＳＰ１３は例えばＡｎｙＭｕｓｉｃ（http：//www.anymusic.jp/）である。ＡｎｙＭｕｓｉｃのＦＭオンエア情報は、現在放送中の番組か過去に放送済みの番組についてのＦＭオンエア情報であり、これから放送しようとする番組についてのＦＭオンエア情報は含まれない。現在放送中の番組についてのＡｎｙＭｕｓｉｃのＦＭオンエア情報には、放送局名、番組名、ＤＪ名、番組放送時刻（開始、終了）、楽曲名、楽曲放送開始時刻及び楽曲アーティスト名が含まれており、３０秒ごとに更新される。ＡｎｙＭｕｓｉｃでは、各ＦＭラジオ放送局について過去１年以上のＦＭオンエア情報を保存していて、オーディオ装置１１は、それらを適宜、入手自在になっている。
【００１６】
オーディオ装置１１は、ＦＭラジオ放送局１２のＦＭラジオ放送について所定期間にわたる録音を開始する。説明の便宜上、以下、この録音を「元録音」と適宜、呼ぶことにする。元録音における録音に関するビットレートやＣＯＤＥＣ等の設定値は任意である。
【００１７】
元録音の開始及び終了は、（ａ）それぞれユーザ１０がオーディオ装置１１の録音キー及び録音中止キーを押下した時、（ｂ）それぞれユーザ１０が予め設定しておいた元録音開始日時及び元録音終了日時、（ｃ）ユーザ１０が元録音開始日時及び録音期間を予め設定しておいた場合のそれぞれ該元録音開始日時及び該日時から録音期間の経過した日時、又は（ｄ）それぞれユーザ１０が予め設定した元録音の開始日時及びその後にユーザ１０が録音終了キーを押下した時である。元録音の録音期間は、例えば、数時間、１日、２〜３日、又は１週間等のようなものである。
【００１８】
オーディオ装置１１は、ＡＳＰ１３からメタデータを定期的に自動的に入手する。入手間隔は、ＡＳＰ１３に依存するが、ＡＳＰ１３がＡｎｙＭｕｓｉｃである場合には、前述したように、現在放送中のメタデータが３０秒に１回、更新されるので、入手間隔は最小３０秒から設定することができる。ＡｎｙＭｕｓｉｃは、また、過去のメタデータについても蓄積しているので、オーディオ装置１１によるメタデータの入手間隔は、１時間、１日、１週間として、それぞれ１時間分、１日分、１週間分のメタデータをまとめて入手するようになっていてもよい。ＡｎｙＭｕｓｉｃはメタデータを過去１年分以上保持しているが、メタデータの入手間隔は、１週間に最低１回が望ましい。
【００１９】
オーディオ装置１１は、元録音に並行して、タイムカウント（例：１秒ごと）を行う。オーディオ装置１１は、現在の年月日及び時刻が何であるかを検出するためのカレンダを内蔵している。オーディオ装置１１は、元録音の開始に伴い、その開始時刻情報を元録音ファイルに関連付ける。
【００２０】
メタデータには、現在のメタデータと、過去のメタデータとがある。タイムカウントは、現在時刻として利用する場合と、元録音の録音開始から経過時間として利用する場合とがある。
【００２１】
現在のメタデータを利用する場合には、メタデータと現在時刻とのマッチングを行い、元録音ファイルにおける現在の録音部位（アドレス）とメタデータの番組開始、終了、楽曲開始等の時刻との対応付けを検出し、この対応付けに係る情報が、元録音ファイルとは別途に記憶装置に記録される。過去のメタデータを利用する場合には、元録音ファイルの各録音部位（記憶装置における記録位置又はアドレス）と経過時間との対応付け情報を生成し、該対応付け情報を元録音ファイルとは別途に記憶装置に記録する。
【００２２】
これら対応付け情報は、元録音ファイルから所望の放送時間範囲部分を切り出す際に、記録位置情報として利用する。また、元録音ファイルについて、その記録開始日時及び記録レート（ｂｉｔ／ｓｅｃ）の情報があれば、元録音ファイルの任意の位置の対応時刻を、元録音ファイルの先頭から該位置までのファイル長さを経過時間に換算して、検出することができる。したがって、対応付け情報の代わりに、元録音ファイルについて記録開始日時及び記録レートの情報を保存しておくこともできる。
【００２３】
図２はメタデータとその時刻情報に対応付けられるＦＭラジオ放送局１２のＦＭラジオ放送との関係を示している。ＦＭラジオ放送局１２は、音若しくは楽曲コンテンツ等の放送コンテンツを常時、流している。図示の例では、メタデータから１８：０２に番組が開始され、１８：０３に楽曲が放送開始され、１８：１０に楽曲が放送開始され、１９：００に番組が開始されていることが判明する。番組放送時刻は、番組の放送開始時刻であると同時に、その前の番組についての放送終了時刻でもある。
【００２４】
メタデータには、アーティスト名、楽曲名、番組名、ＤＪ名等の複数の項目が含まれているので、単一又は複数のＦＭラジオ局のＦＭ放送に関する所定期間にわたるメタデータを統計情報として利用して、統計分析を行えば、該所定期間におけるパワープレイ等のユーザ所望コンテンツを知ることができる。
【００２５】
図３はＡＳＰ１３ではなくＦＭラジオ放送局１２自体がその放送内容のメタデータをＷＥＢで提供している場合の説明図である。図３の要素において、図１の要素と同一のものは同符号で指示して、説明は省略し、相違点についてのみ説明する。
【００２６】
図３において、各ＦＭラジオ放送局１２ａ〜１２ｃは、その放送内容のＦＭオンエア情報のＷＥＢ２０ａ〜２０ｃを備える。オーディオ装置１１は、インターネットを介して所望のＷＥＢ２０ａ〜２０ｃからそのＦＭオンエア情報を適宜、入手することができるようになっている。
【００２７】
図４はオーディオ装置１１とポータブル型デジタルオーディオプレーヤ２４とが共働してパワープレイ等のユーザ所望コンテンツの再生ファイルを生成する説明図である。図４の要素において、図１の要素と同一のものは同符号で指示して、説明は省略し、相違点についてのみ説明する。
【００２８】
ユーザ１０は、自分のポケットやバッグ等にポータブル型デジタルオーディオプレーヤ２４を入れて、ポータブル型デジタルオーディオプレーヤ２４を持ち運び自在になっている。ポータブル型デジタルオーディオプレーヤ２４は、チューナとハードディスクのような大容量記録媒体とを内蔵しているが、インターネットへの接続機能を有していない。
【００２９】
これに対して、オーディオ装置１１は、インターネットへの接続機能を有している。また、オーディオ装置１１とポータブル型デジタルオーディオプレーヤ２４とは、ＵＳＢケーブル、赤外線通信、又はＤＬＮＡ等を介して相互にデータを送受自在となっている。
【００３０】
ポータブル型デジタルオーディオプレーヤ２４はユーザ１０の指示に基づき元録音を実施する。ポータブル型デジタルオーディオプレーヤ２４の記憶装置に元録音ファイルが作成された後、ポータブル型デジタルオーディオプレーヤ２４は、ＵＳＢケーブル等を介してオーディオ装置１１と接続される。これにより、ポータブル型デジタルオーディオプレーヤ２４の記憶装置内の元録音ファイルがポータブル型デジタルオーディオプレーヤ２４のカレンダデータと共にオーディオ装置１１の記憶装置に移動又は複写される。
【００３１】
この後、オーディオ装置１１は、図１及び図２のオーディオ装置１１と同様に、元録音ファイルから所定の放送時間範囲部分を切り出すことにより、統計分析項目関連のコンテンツファイルを生成する。こうして生成されたコンテンツファイルは、そのままオーディオ装置１１の記憶装置内に残されて、オーディオ装置１１において聴取されてもよいし、また、ポータブル型デジタルオーディオプレーヤ２４に移動又は複写して、ポータブル型デジタルオーディオプレーヤ２４において聴取されてもよい。
【００３２】
図５はＦＭラジオ放送局１２より過去に放送された所定の番組についてそれに対応付けられているメタデータを例示している。メタデータには、所定の放送局名、番組名、ＤＪ名、番組放送開始時刻、番組放送終了時刻、楽曲名、楽曲放送開始時刻及びアーティスト名が含まれる。オーディオ装置１１は、ＡＳＰ１３から過去のメタデータは入手せず、元録音中、ＡＳＰ１３から現在のメタデータを３０秒等の時間間隔で入手して、それらを蓄積することにより、過去の放送分のメタデータとすることもできる。
【００３３】
ユーザ所望コンテンツとしてのパワープレイは、直近１週間とかの最新のパワープレイに限定されず、半年前の所定の週のパワープレイとかの過去のパワープレイについても対応期間のメタデータについての統計分析により知ることができる。統計分析により探索して元録音ファイルから生成する楽曲ファイルは、パワープレイ以外に、例えば、所定期間に放送されたアーティストの内、上位３位までの楽曲、ｍ位（ｍは任意）の楽曲、又は自分の楽曲が最も多く放送されたアーティストの任意の楽曲がある。
【００３４】
ユーザ１０は、ユーザ所望コンテンツ、すなわち元録音ファイルから生成する再生ファイルをどのような楽曲にするかを指定する。具体的には、オーディオ装置１１に、これら項目の選択リスト（例：「１．パワープレイ，２．最大放送回数の楽曲、３．楽曲が最大放送回数されたアーティストの楽曲、・・・」）が用意されており、ユーザ１０は、該リストから所望の１個を選択することによりユーザ所望コンテンツの指定が完了する。指定時期は、元録音開始前、元録音中、又は元録音の終了後の３通りかある。
【００３５】
ユーザ所望コンテンツに該当する楽曲がメタデータ分析により判明すると、メタデータから該当楽曲の放送時間範囲を特定する。具体的には、楽曲名＝該当楽曲名の楽曲をメタデータから探索し、その放送開始時刻を検出する。なお、ＡｎｙＭｕｓｉｃから入手できるメタデータには、楽曲の放送開始時刻の情報は含まれているが、楽曲の放送終了時刻の情報が含まれていない。
【００３６】
これに対処するため、インターネット内の所定のデータベース（ＣＤＤＢ：CD DataBase）等から、その楽曲の絶対時間を入手し、メタデータの放送開始時刻から該絶対時間を足した時刻を放送終了時刻とすることができる。あるいは、ユーザ所望コンテンツの次の楽曲の放送開始時刻を該ユーザ所望コンテンツの放送終了時刻とすることもできる。
【００３７】
図６はコンテンツ処理装置３５のブロック図である。図１及び図３のオーディオ装置１１はコンテンツ処理装置３５の実施例である。また、図４のオーディオ装置１１及びポータブル型デジタルオーディオプレーヤ２４は、共働して、コンテンツ処理装置３５の実施例を構成する。
【００３８】
コンテンツ処理装置３５が関係するメタデータは、ＦＭラジオ放送に限定されず、ＡＭラジオ放送、デジタルラジオ放送、又はデジタル若しくはアナログのＴＶ放送、さらに、ケーブル放送やインターネット放送のメタデータであってもよい。コンテンツ処理装置３５は、メタデータ入手手段３６、探索手段３７及び処理手段３８を備えている。
【００３９】
メタデータ入手手段３６は、所定期間の放送内容に関するメタデータを入手する。探索手段３７は、該メタデータを統計情報として使用し、該統計情報から該当コンテンツを探索する。処理手段３８は、該当コンテンツに係るユーザ向け処理を実行する。
【００４０】
メタデータ入手手段３６がメタデータを入手する時期は、該メタデータに対応する放送の前、途中又は後である。ただし、メタデータの一例としてのＦＭオンエア情報は、現時点では、放送中か、放送後でなくては入手できないようになっている。放送後にメタデータを入手する場合、該メタデータは、例えば１月前、半年前又は１年前のものであってもよい。
【００４１】
入手するメタデータの期間の長さは、任意であり、例えば、１日、１週間又は１月とすることができる。同一期間の複数の放送局の放送内容に関するメタデータを入手して、それらを今回の統計情報とすることもできる。
【００４２】
処理手段３８におけるユーザ向け処理とは、例えば、（ａ）該当コンテンツをユーザに提示する（例：ディスプレイへの表示、スピーカからの音声通知）こと、（ｂ）該当コンテンツの再生ファイルが記憶装置内に存在する場合には、該再生ファイルを再生すること、又は（ｃ）該当コンテンツの放送時間範囲をメタデータに基づき特定し、メタデータの対応期間の放送コンテンツ記録ファイルから該放送時間範囲の対応部分を抽出した再生ファイルを生成することである。
【００４３】
ユーザ向け処理を（ａ）〜（ｃ）の任意の組み合わせとすることができる。例えば、（ａ）を実行してから、（ｂ）を実行したり、（ｂ）を実行し、記憶装置に該当コンテンツの再生ファイルが存在しない等の理由により。（ｂ）の実行が困難である場合には、（ｂ）に代えて、（ｃ）を実行したりするようにしてよい。（ｃ）の具体的処理については、後で、詳説する。
【００４４】
好ましくは、該当コンテンツとは、パワープレイ、メタデータにおける出現個数に基づく楽曲ランク付けに係る楽曲、又はメタデータにおける出現個数に基づくアーティストランク付けに係るアーティストの楽曲ある。
【００４５】
例えば、楽曲について、メタデータにおける出現個数の多い方からランクを定め、該当コンテンツをランク１位の楽曲、ランク１５位の楽曲、又はランク６位から１０位までの計５つの楽曲とすることができる。例えば、アーティストについて、メタデータにおける出現個数の多い方からランクを定め、該当コンテンツをランク１位のアーティストの楽曲でかつメタデータに最大数若しくは直近に放送された楽曲、又はランク３位のアーティストの楽曲でかつメタデータに含まれている任意の楽曲とすることができる。
【００４６】
上述（ｃ）の記録コンテンツからの抽出による該当コンテンツについての再生ファイルの生成について詳説する。（ｃ）では、放送を受信しつつ、該放送を記録した記録ファイルを生成する。メタデータは、典型的には、記録ファイルの記録期間に一致させ、記録ファイルの基にした放送の放送局に一致させる。
【００４７】
そして、ユーザ所望コンテンツの放送時間範囲をメタデータに基づき特定する。最後に、記録ファイルにおける放送時間範囲の該当部分を抽出して、ユーザ所望コンテンツについての再生ファイルを生成する。抽出後の記録ファイル（オーディオ装置１１における元録音ファイル）の処理は任意である。削除しても、次の抽出のために削除せずに残しておいてもよい。
【００４８】
メタデータは、典型的には、インターネットを介して所定のＡＳＰのサーバから入手するものであるが、図２で説明したように、放送局自身が所定のサーバにより提供することもあり、その場合には、該サーバから入手することになる。
【００４９】
記録ファイルは典型的には放送局別に生成される。重複した期間に、放送局別に記録ファイルを生成することもできる。さらに、記録ファイルの１つの記録期間に対して、１つの連続記録の記録ファイルとする必要はない。記録期間を複数の部分期間に区分し、各部分期間ごとに１つの連続的な記録ファイルを生成し、全体としては複数の連続的な記録ファイルとすることもできる。そして、そのようにした方が、メタデータの日時に対応する記録部位を特定し易くなることがある。例えば、記録期間が１週間である場合には、各曜日ごとに計７個の記録ファイルを作り、全体で１週間連続記録の記録ファイルとすることができる。
【００５０】
記録ファイルにおいて各時刻に対応する記録位置がどこになっているかは、記録ファイルの生成過程において、タイムカウントと記憶装置内の記録位置（アドレス）とを対応付けた情報を記録ファイルとは別途に記憶しておくことにより、検出することができる。又は、記録ファイルについて、その記録開始日時及び記録レート（ｂｉｔ／ｓｅｃ）の情報を使って、記録開始日時からの相対時間を記録ファイルにおける先頭からのファイル長さに換算することによっても、検出することができる。
【００５１】
典型的には、メタデータは、放送番組についての番組名、開始時刻、終了時刻若しくは担当ＤＪ名、又は該放送番組内で放送される楽曲についての楽曲名、アーティスト名若しくは放送開始時刻を含む。典型的には、キーワードは、アーティスト名、楽曲名、番組名又はＤＪ名とされる。
【００５２】
ＡｎｙＭｕｓｉｃのメタデータには、楽曲の終了時刻は含まれていない。放送時間範囲の終端は、次の楽曲の開始時刻としたり、楽曲の演奏時間を多目に見積もって（例えば５分とか６分）、開始時刻から見積もり演奏時間後の時刻を楽曲の終了時刻としたりすることができる。演奏時間を多目に見積もり、コンテンツファイルから該見積もり時間、抽出して生成した記録ファイルは、後日、ユーザが手作業の後尾の不要部分を削除するようにしてもよい。
【００５３】
楽曲の放送時間範囲の終端を、次の楽曲の開始時刻とする場合、ランキング系の番組では、適合するが、トーク系の番組では不適合になる可能性が高まる。したがって、番組名からランキング系かトーク系かを判断し、ランキング系の番組のみに適用するようにしてもよい。例えば番組名に「ベストテン」とか、「上位○曲」とかを含んでいる場合には、ランキング系の番組と判断することができる。
【００５４】
さらに、該当コンテンツの再生ファイルの生成は、コンテンツ処理装置３５による自動生成と、後日のユーザのマニュアルによる先頭及び後尾の余分部分の削除とを併用するようになっていてもよい。その場合、コンテンツ処理装置３５による記録ファイルからのキーワード関連部分のコンテンツファイルの自動生成は、必要部分が該コンテンツファイル内に確実に含まれるように、放送時間範囲を広めにすることが好ましい。
【００５５】
記録ファイルから楽曲の放送時間範囲の該当部分を抽出する場合には、該放送時間範囲の開始時刻を該楽曲の放送開始より所定時間前としてもよい。これにより、楽曲の紹介部分トークを再生ファイルに取り込むことができる。
【００５６】
図７はコンテンツ処理方法５０のフローチャートである。Ｓ５１では、所定期間の放送内容に関するメタデータを入手する。Ｓ５２では、該メタデータを統計情報として使用し該統計情報から該当コンテンツを探索する。Ｓ５３では、該当コンテンツに係るユーザ向け処理を実行する。
【００５７】
Ｓ５１〜Ｓ５３の処理は、コンテンツ処理装置３５（図６）のメタデータ入手手段３６〜処理手段３８の機能にそれぞれ対応している。したがって、メタデータ入手手段３６〜処理手段３８の機能について述べた具体的態様はＳ５１〜Ｓ５３の処理についての具体的態様としても適用可能である。
【００５８】
本発明を適用したプログラムは、コンピュータをコンテンツ処理装置３５の各手段として機能させる。本発明を適用した別のプログラムは、コンテンツ処理方法５０の各ステップをコンピュータに実行させる。
【００５９】
本発明を最良の形態について説明したが、本発明は、これに限定されるものではなく、発明の要旨を逸脱しない範囲で最良の形態における各構成要素を変形して具体化できる。また、最良の形態に開示されている複数の構成要素の便宜な組み合わせにより、種々の発明を形成できる。本明細書が開示する発明には、最良の形態に示される全構成要素からいくつかの構成要素を削除したり、異なる最良の形態に係る構成要素同士を組み合わせたりしたものも含まれる。
【図面の簡単な説明】
【００６０】
【図１】パワープレイ等のユーザ所望コンテンツの再生ファイルを生成する説明図である。
【図２】メタデータとその時刻情報に対応付けられるＦＭラジオ放送局のＦＭラジオ放送との関係を示す図である。
【図３】なくＦＭラジオ放送局自体がその放送内容のメタデータをＷＥＢで提供している場合の説明図である。
【図４】オーディオ装置とポータブル型デジタルオーディオプレーヤとが共働してパワープレイ等のユーザ所望コンテンツの再生ファイルを生成する説明図である。
【図５】ＦＭラジオ放送局から過去に放送された所定の番組についてそれに対応付けられているメタデータを例示す図である。
【図６】コンテンツ処理装置のブロック図である。
【図７】コンテンツ処理方法のフローチャートである。
【符号の説明】
【００６１】
３５：コンテンツ処理装置、３６：メタデータ入手手段、３７：探索手段、３８：処理手段、５０：コンテンツ処理方法。
【図１】
2008244861.tif 000003
【図２】
2008244861.tif 000004
【図３】
2008244861.tif 000005
【図４】
2008244861.tif 000006
【図５】
2008244861.tif 000007
【図６】
2008244861.tif 000008
【図７】
2008244861.tif 000009